(57)【要約】【課題】  基礎の換気口用開口部に簡単に取り付け可能で、虫等の侵入を防ぎつつ良好な換気を確保し、大雨の際には簡単な操作で蓋体で閉じて雨水の吹込等を防止し得る。【解決手段】内側が表裏貫通する開口部３である額縁状の四辺形フレーム２と、その背面部に配設した多孔板９と、開口部３内に４段に配した複数のブレード４であって、各々連動して起伏回動自在に取り付けられた複数のブレード４からなる蓋体とで構成し、各ブレード４は、水平に配設された左右の各回転軸５に取付片６を介して取り付けられ、各回転軸５と連動して起伏回動する。各回転軸５には回動部材７も係止されていて、これらの回動部材７、７…には直立連結部材８が係合され、この直立連結部材８に係止された操作レバー８ｂを昇降操作することで、各ブレード４を起伏動作させ、開口部３を開閉し得るようになっている。【選択図】  図１
0003110954.tif 000002
【実用新案登録請求の範囲】
【請求項１】
内側を表裏貫通する開口部とする額縁構造で、該開口部の前面側に開閉自在な蓋体を配し、かつ該開口部の背面側に防虫用の多孔板又は網状の部材を配設した床下換気口であって、建物基礎の立上り部の切欠状に開口した換気用開口部に設置して用いる床下換気口に於いて、
前記蓋体を、該開口部の前面側に該開口部を被覆すべく上下隣接して配した複数の横向きブレードであって、各々が連動して起伏することにより、該開口部を開閉する横向きブレードで構成した床下換気口。
【請求項２】
前記各ブレードの上端部と下端部の右側面から見た形状を、前者は逆「く」の字型に、後者は「く」の字型に、それぞれ構成すると共に、該各ブレードが伏動作して前記開口部を閉じた際に、上下に隣接する各ブレードの内、上側のそれの下端部が下側のそれの上端部に重なるように構成した請求項１の床下換気口。
【考案の詳細な説明】
【技術分野】
【０００１】
本考案は、建物基礎の立上り部の切欠状に開口した換気用開口部に設置する床下換気口に関し、特に簡単に取付け可能であり、虫等の侵入を防ぐと共に、簡単な操作により蓋体で覆って雨水の吹込等を防止することが可能となる使い勝手の良い床下換気口に関するものである。
【背景技術】
【０００２】
家屋等の建築物には、床下の換気を行って家屋内の湿度を調整し、かびの発生や建材の腐食を抑えるための床下換気口が設けられている。この床下換気口は、建物基礎の立上り部の所定の個所を切欠状に開口して構成し、簡単なものは、その開口部に複数の金属棒を所定の間隔で立設したもので、小動物等が床下に入り込むのをある程度は防止することができる。しかし、通常、金属棒の間隔はそれ程狭くはないので、虫類等は自由に出入可能であり、虫類等の侵入を防ぐと共に通気性は保持し得る小さな孔を多数開口した多孔板や防虫網材等を取付けた床下換気口が提案されている。
【０００３】
ところで、床下換気口には、雨の吹込等を防止可能であるように、必要に応じて開口を塞ぎ得る蓋体も要求される。このため、特許文献１では、本件出願人により以下のような床下換気口を提案している。
【０００４】
この床下換気口は、表裏貫通する複数の通気口を備えた換気口本体と、該換気口本体の背面に配したパンチングメタルと、前記換気口本体の上端から平板状に立上る上部取付部であって、土台の下部に当接して固定する上部取付部と、前記換気口本体の下端から平板状に垂下する下部取付部であって、基礎の立上り部の位置に切欠状に開口した換気口本体用開口部の底面上に固定する下部取付部と、前記上部取付部の前面上部に配したスペーサ及びその前面から垂下した鍔板で構成した上端係止部であって、該鍔板と該上部取付部との間の空間で前記換気口本体の前面を覆う蓋体の上端を係止する上端係止部と、前記下部取付部の前面下部に配したスペーサ及びその前面から立上げた係止片で構成した下端係止部であって、該係止片と該下部取付部との間の空間で前記換気口本体の前面を覆う蓋体の下端を係止する下端係止部と、前記換気口本体の前面に配した蓋体とで構成したものである。
【０００５】
前記パンチングメタルは、虫類の通過を防止し得ると共に空気の適切な流通を確保することが目的であり、それに適合する適度な口径の多数の孔を備えたものとし、そのような目的を達成できるものであれば、孔の形状等は問わない。前記蓋体は、必要に応じて、前記換気口本体を被覆し、これを閉じるものであって、そのような作用を持つものであれば特定のものである必要はない。取外しが容易なように、取っ手や前記上端係止部に取付溝を設ける。前記蓋体の高さ寸法は、前記上端係止部の取付溝の底面から前記下端係止部の前記スペーサの上端面までの間隔より短めであって、少なくとも、前記取っ手を掴んで該蓋体をその上端が上端係止部に配設した取付溝の上端に当接するまで持上げた場合には、その下端が下端係止部の係止片の上端より上部に上昇してここから外すことができるように設定する。なお、前記換気口本体を縦横に通気口を開口する格子部材で構成することもできる。
【０００６】
従って、特許文献１の床下換気口によれば、建物用の基礎の立上り部の換気口用開口部に簡単に取付けることができ、かつ虫等の侵入を防ぐことができると共に、必要な時に該換気口本体に蓋体を容易に取付け、内部への雨水等の侵入を防止でき、更に不要な場合は何時でも容易に取外すことができる。
【０００７】
以上のように、特許文献１の床下換気口によれば、上記した従来の床下換気口の問題点を解決することができるが、その後の更なる検討の結果、取外した蓋体の処置と取付けや取外しの操作に関し、以下の改良すべき点も指摘されている。取外した蓋体を別の場所に運んで保管するのは煩わしいし、建物の基礎部に立掛けておくと風で倒れたり通行の障害になる虞がある。また、特許文献１の蓋体の取付けや取外しは、前記したように、簡単ではあるが、ワンタッチの操作とは行かない。
【０００８】
【特許文献１】実用新案登録第３０９９１７９号公報
【考案の開示】
【考案が解決しようとする課題】
【０００９】
本考案は、以上に述べた従来技術の問題点を解決し、建物基礎の立上り部の切欠状に開口した換気用開口部に設置する床下換気口であって、特に簡単に取付け可能であり、虫等の侵入を防ぐと共に、極めて簡単な操作により蓋体で覆って雨水の吹込等を防止可能である使い勝手の良い床下換気口を提供することを解決の課題とするものである。
【課題を解決するための手段】
【００１０】
本考案の１は、内側を表裏貫通する開口部とする額縁構造で、該開口部の前面側に開閉自在な蓋体を配し、かつ該開口部の背面側に防虫用の多孔板又は網状の部材を配設した床下換気口であって、建物基礎の立上り部の切欠状に開口した換気用開口部に設置して用いる床下換気口に於いて、
前記蓋体を、該開口部の前面側に該開口部を被覆すべく上下隣接して配した複数の横向きブレードであって、各々が連動して起伏することにより、該開口部を開閉する横向きブレードで構成した床下換気口である。
【００１１】
本考案の２は、本考案の１の床下換気口に於いて、前記各ブレードの上端部と下端部の右側面から見た形状を、前者は逆「く」の字型に、後者は「く」の字型に、それぞれ構成すると共に、該各ブレードが伏動作して前記開口部を閉じた際に、上下に隣接する各ブレードの内、上側のそれの下端部が下側のそれの上端部に重なるように構成したものである。
【考案の効果】
【００１２】
本考案の１の床下換気口によれば、虫類等の進入を防止しながら床下喚起の効果を得ることができると共に、必要に応じて、極めて簡単な操作で容易に床下換気口を開閉し、雨水の吹込等を防止することができる。
【００１３】
本考案の２の床下換気口によれば、雨水の吹込等をより確実に防止することができる。
【考案を実施するための最良の形態】
【００１４】
本考案の床下換気口は、基本的に、内側を表裏貫通する開口部とする額縁構造で、該開口部の前面側に開閉自在な蓋体を配し、かつ該開口部の背面側に防虫用の多孔板又は網状の部材を配設した床下換気口であって、建物基礎の立上り部の切欠状に開口した換気用開口部に設置して用いる床下換気口に於いて、前記蓋体を、該開口部の前面側に該開口部を被覆すべく上下隣接して配した複数の横向きブレードであって、各々が連動して起伏することにより、該開口部を開閉する横向きブレードで構成したものである。
【００１５】
前記床下換気口は、前記したように、額縁構造であり、四辺形のフレームで構成されている。基本的には、該額縁構造の四辺形フレームは、従来のものと同様に、所定の開口スペースを確保することで、その上部を建物の土台の下部に当接させ、その下部を建物基礎の立上り部に切欠状に開口した換気用開口部の底面上に載置して設置する。このため、縦の寸法は、従来のものと同様に、建物の土台の下面と基礎の立上り部の底面との間の寸法に対応させ、かつ幅も換気用開口部の両側面間の寸法に対応するものに構成する。また、その奥行も、建物の土台及び基礎の立上り部の幅に対応させて適切な寸法に設定する。
【００１６】
また該額縁構造の四辺形フレームの材質は、必要な強度や耐久性等が確保できれば、特に限定しないが、ステンレス板が入手も容易で、所定の形状に加工して用いることが出来るので好都合である。
【００１７】
前記防虫用の多孔板又は網状の部材も、従来のそれと同様に、虫類の通過を防止し得ると共に空気の適切な流通を確保することが目的であり、それに適合する適度な口径の多数の孔を備えたものとし、趣旨に適合する限り、孔の形状等は問わない。また該防虫用の多孔板又は網状の部材は、前記額縁構造の四辺形フレームと同様に、ステンレス板で構成するのが入手も容易であり、必要な耐久性等を確保できるため適当である。なお、これらの多孔板又は網状の部材は前記四辺形フレームの背面にビス等で取り付けることができる。
【００１８】
前記蓋体は、横向きに配した複数のブレードを上下方向に配列して構成したもので、各々上下隣接するブレード相互は各上下端の一部を相互に重複させつつ配してあるものである。
【００１９】
該各ブレードは、相互に連動して起伏するように構成するものとし、これが起立し、水平状態になった場合に、前記額縁構造の四辺形フレーム内に収まるようにするため、該各ブレードの幅は前記四辺形フレームの奥行よりも小さくする。このため、該ブレードの幅と上下方向に配列設置すべき数は、前記四辺形フレームの奥行や縦の寸法を考慮して決めるべきこととなる。
【００２０】
また、該各ブレードは、単なる短冊形の板材を採用することも可能であるが、その上端部と下端部の形状を右側面から見て、前者は逆「く」の字型に、後者は「く」の字型に、各々構成すると共に、該各ブレードを伏動させて四辺形フレームの開口部の前面側を閉じた際に、上下に隣接する各ブレードのうち、上側のそれの下端部が下側のそれの上端部に重なるように配設するのが好ましい。
【００２１】
該各ブレードを相互に連動させつつ起伏動作させる機構は、この目的を達成できる限り自由な構成を採用可能である。例えば、以下のような簡単な構成が採用可能である。
【００２２】
該各ブレードを、その左右両端に配した取付片を介して水平な回転軸の周りに、該回転軸と共に起伏自在に回動できるように取り付ける。該水平な回転軸は、各々前記四辺形フレームの側板等に、前記各ブレードの配置に対応させて多段に取り付けるものとし、他方前記各取付片は該各回転軸に固定しておくものとする。該各回転軸の内中央側のそれらには、同様に該各回転軸と共に回動自在に回動する回動部材をも取付ける。多段に配設されたこれらの各回動部材の他端には、端部の全回動部材を連結する直立連結部材に係合させ、更に直立該連結部材には、前記開口部の前面側から操作可能な操作レバーを取り付ける。該直立連結部材は、前記各回動部材が回動しても所定の向きを維持できるように、溶接ではなく、ボルトとナット等で締結する。従って該操作レバーを上下に摺動操作することにより、前記直立連結部材も上下に変位して、各回動部材を各回転軸周りに起伏回動させ、このような起伏回動に起因して、これに連動する前記各取付片の該各回転軸周りの起伏回動を生じさせ、これによって各対応するブレードを起伏回動させ、前記開口部を自在に開閉することができることになる。
【００２３】
従って本考案の床下換気口によれば、以下のようにして、建物基礎の立上り部の切欠状に開口した換気用開口部に設置し、虫等の侵入を防ぐと共に、状況に応じ簡単な操作により蓋体で覆って雨水の吹込等を防止することができる。
【００２４】
前記額縁構造の四辺形フレームを建物基礎の立上り部に開口した換気用開口部内に設置する。該四辺形フレームの下部と該換気用開口部の底面との間には、必要に応じてモルタルを装入してその高さを調節し、その上部を建物土台の下部に当接させるようにする。必要に応じてその上部と建物土台の下部との間の一部にモルタルを充填しても良い。また該四辺形フレームの側部と該換気用開口部の側部との間にはモルタルを充填して隙間をなくするようにする。
【００２５】
このように本考案の床下換気口を建物基礎の立ち上がり部に開口した換気用開口部に設置すると、前記蓋体を、前記操作レバー操作等で、その複数のブレードを起立させる（水平状態にする）ことにより開けておけば、その開口部が開き、背面部に配設した防虫用の多孔板又は網状の部材により、虫等の侵入を防ぎつつ通気性を確保することができる。
【００２６】
台風その他で、該床下換気口を通じて、雨水の吹込等の虞が生じた場合には、前記操作レバー操作等で、前記各ブレードを伏動作（下方回動）させ、前記四辺形フレームの開口部を閉じることとする。その際、前記したように、上下に隣接する各ブレードのうち、上側のそれの下端部が下側のそれの上端部に重なることとなるため、確実に雨水の吹込等を防止することができる。
【００２７】
以上のように、本考案の床下換気口によれば、床下喚起を確保しつつ虫等の侵入を防ぐと共に、極めて簡単な操作により、蓋体で閉じて雨水の浸入等を確実に防止することができるものである。
【実施例】
【００２８】
この実施例の床下換気口１は、図１(a)〜(d)及び図２に示すように、中央部に表裏貫通する開口部３を有する額縁状の四辺形フレーム２と、該四辺形フレーム２の背面部に、該開口部３を横切る状態に配設した防虫用の多孔板９と、該開口部３の前面に配した複数のブレード４、４…からなる蓋体とを主な要素として構成するものである。該蓋体の各ブレード４、４…は、図１(b)、(d)に示すように、相互に連動して起伏回動し、起立時（水平状態時）に前記開口部３を開き、伏動時（垂下状態時）に該開口部３を閉じるようになっている。
【００２９】
前記床下換気口１は基礎立上り部に切欠状に開口した換気用開口部に設置するものである。そのためその四辺形フレーム２は、幅や縦の寸法も上記換気用開口部のそれに合せて、この実施例では、各々５０cm、２５cmとした。また、奥行も、建物土台及び建物基礎の立上り部の厚みを考慮して１０cmとした。材質は必要な強度や耐久性等を考慮してステンレス板を用い、所定の形状の板材を組合せて溶接して構成した。
【００３０】
前記防虫用の多孔板９も、虫類の通過を防止しつつ空気の適切な流通を確保するため、それに適合する口径１cmの多数の孔を備えたものとし、前記四辺形フレーム２同様に、その素材をステンレス板としている。なお、該防虫用の多孔板９の四隅には、図４に示すように、取付用開口９ａ、９ａ…を開口しておき、他方、前記四辺形フレーム２の四隅にも、図２に示すように、同様にその背面側四隅に取付用ネジ孔９ｂ、９ｂ…を穿設しておいた上で、前者を後者の背面に、前者の取付用開口９ａ、９ａ…と後者の取付用ネジ孔９ｂ、９ｂ…とを一致させた状態で配置し、各々の対応する取付用開口９ａ、９ａ…と取付用ネジ孔９ｂ、９ｂ…とを利用してビス留め固定したものである。
【００３１】
更に、該四辺形フレーム２の外側面や上面前方には、金網２ｆ、２ｆ…を配設し、設置する際に、モルタルが確実に付着するようにしてある。
【００３２】
前記蓋体は、図１(a)、(c)及び図２に示すように、この実施例では、両側の各４枚のブレード４、４…で構成したものである。それぞれは同様の構成である。従って特に不都合がない限り、以下では片側の４枚のブレード４、４…に関して説明する。
【００３３】
以上の４枚のブレード４、４…は、図１(a)、(c)及び図２に示すように、基本的に横長の板状部材であり、蓋体の各側はこれらを各々上下方向に配列して構成したものである。上下隣接するブレード４、４相互は、その起伏回動動作の伏動作によって垂下状態になった場合に、各々上方のそれの下端が下方のそれの上端に重なる状態になるようにその幅及び距離関係を設定しておく。また該各ブレード４、４…は、起立回動によって水平状態になった場合に、前記四辺形フレーム２内に収まるようにするという観点から、その幅を該四辺形フレーム２の奥行よりも小さな寸法とする。
【００３４】
この実施例では、以上のような観点からの検討の結果、該各ブレード４、４…の幅と上下方向への設置数は、図１(a)、(c)及び図２に示すように、片側４枚で４段とした。また、図１(b)、(d)、図５(a)、(b)及び図６に示すように、該各ブレード４、４…の上端部と下端部とを右側面から見て、前者は逆「く」の字型に、後者は「く」の字型に、それぞれ構成し、前記したように、蓋体を伏動作させ、各ブレード４、４…を垂下状態にした場合に、各上下隣接するブレード４、４の上方のそれの下端部が下方のそれの上端部により適切に重なり合うようにしたものである。
【００３５】
なお、以上の各ブレード４、４…の形状は、これらを起立回動させて水平にした場合にも、図１(b)、図５(a)及び図６に示すように、その下端が開口部３の前面側で斜め前方に下向き傾斜し、他方、上端は開口部３の背面側で斜め後方に上向き傾斜する状態となるので、雨水の吹込等を防止するのに好都合となる。また、前記四辺形フレーム２は、図１(a)、(b)、(d)、図２、図５(a)、(b)及び図６に示すように、前記開口部３の下端側の奥の位置に下縁２ｅを立ち上げた構成とし、雨水等の浸入を防止できるようにしている。
【００３６】
前記蓋体の各ブレード４、４…を連動して起伏動作させる機構はこの実施例では以下のように構成したものである。
特に、図５(a)、(b)、図７及び図８に拡大して示すように、該各ブレード４、４…は、その両端に構成した取付片６を介して水平状態に配した回転軸５の周りに、該回転軸５と共に、起伏回動自在になるように配してある。該各回転軸５、５…は、各々前記四辺形フレーム２の側板部又は該四辺形フレーム２の中央側に配した二つの直立支持板に、各対応するブレード４、４…に高さ及び奥行き方向の位置関係を合せて取り付け、該各回転軸５、５…に前記各取付片６、６…を固定している。
【００３７】
該各回転軸５、５…の内の、各ブレード４、４…の中央側に位置するそれらには、同じく該各回転軸５、５…と共に回動する回動部材７、７…をも取り付ける。各回転軸５、５…に配設されたこれらの各回動部材７、７…の他端には、それらの回動部材７、７…を連結する直立連結部材８を係合させ、更に該直立連結部材８には、結合部材８ａを介して前記開口部３の前面側に突出し、外部から昇降操作可能な操作レバー８ｂを取付けている。
【００３８】
なお、この機構部は、図１(a)、(c)、図２及び図３に示すように、前面側からカバー２ｃで覆っているが、必要な部分に操作用スリット２ｄを設け、該操作レバー８ｂを昇降操作させ得るようにしてある。
【００３９】
また、前記直立連結部材８は、図５(a)、(b)に示すように、前記各回動部材７が回動しても所定の向きを維持し得るように、それらとボルト・ナット７ａ、７ａ…で回動可能に連結している。従って該操作レバー８ｂを上下に昇降操作することにより、前記直立連結部材８も上下に変位させ、これによって各回動部材７、７…を起伏回動させ、各回転軸５、５…を回動させ、更に各取付片６、６…を起伏回動させて、これらに結合している各ブレード４、４…を起伏回動させることができることになる。またこれによって前記開口部３を自在に開閉することができる訳である。より具体的に述べると、前記操作レバー８ｂを、矢印ｑに示すように、引き上げると、蓋体の各ブレード４、４…は伏動動作し、図５(b)に示すように、該各ブレード４、４…は垂下状態となって開口部３を閉じ、該操作レバー８ｂを、矢印ｐに示すように、押し下げると、図５(a)に示すように、蓋体の各ブレード４、４…は水平状態まで起立動作し、その開口部３を開口することとなる。
【００４０】
従ってこの実施例の床下換気口１によれば、以下のようにして、建物基礎の立上り部の換気用開口部に設置し、虫等の侵入を防ぐと共に、換気を確保し、台風の際その他の悪条件の際には、簡単な操作によりその開口部３を蓋体で閉じて雨水の吹込等を防止することができる。
【００４１】
前記額縁状の四辺形フレーム２は、図６に示すように、その上部を建物の土台Ｈの下面に当接させ、その下部を基礎Ｂの立上り部に開口した換気用開口部の底面上に載置して設置する。その際、該四辺形フレーム２の後上部の上部取付部２ａを該土台Ｈの後面下部に、該紙片形フレーム２の前下部の下部取付部２ｂを基礎Ｂの底板部の前方に当接させて位置決めする。また、上部前方の土台Ｈとの間隙及び両側と基礎Ｂの立ち上がり部との間隙は、それぞれモルタルを充填して隙間を埋めておく。その際、前記したように、それらの部位に金網２ｆ、２ｆ…が配設されているためモルタルを確実に付着結合させることができる。
【００４２】
この実施例の床下換気口１は、こうして基礎Ｂの立ち上がり部の換気用開口部に簡単に設置することが可能であり、設置後は、通常は、前記操作レバー８ｂを押し下げて、前記蓋体のブレード４、４…を、図５(a)に示すように、起立回動状態にさせておく。こうして背面部の防虫用の多孔板９によって虫等の侵入を防止しながら、床下の換気を確保することができる。
【００４３】
大雨や台風などで、該床下換気口１の開口部３を通じて雨水の吹込等が生じそうになった場合は、前記操作レバー８ｂを、図１(d)及び図５(b)に矢印ｑで示すように、引き上げ操作すると、前記各ブレード４、４…は伏動作し、同図に示すように、該ブレード４、４…は全て垂下状態となって前記開口部３を閉じることとなる。このとき、前記し、同図に示すように、上下に隣接するブレード４、４の内、上側のそれの下端部が下側のそれの上端部に重なることとなるため、確実に雨水の吹込を防止することができる。
【００４４】
以上のように、この実施例の床下換気口１によれば、通常は、虫等の侵入を防ぎつつ良好な換気を確保し、他方、大雨等で雨水の浸入がありそうな場合には、極めて簡単な操作により開口部３を蓋体で覆ってその吹込等を防止することができる。
【図面の簡単な説明】
【００４５】
【図１】(a)は蓋体のブレードを起立させた状態の実施例の床下換気口の概略正面図、(b)は (a)に於けるｂ―ｂ線概略断面図、(c)は蓋体のブレードを伏動させた状態の実施例の床下換気口の概略正面図、(d)は (c)に於けるｄ―ｄ線概略断面図。
【図２】背面の多孔板を外して蓋体を開いた状態の実施例の床下換気口の概略背面図。
【図３】図２のｇ―ｇ線概略断面図。
【図４】多孔板の正面図。
【図５】(a)は図１(a)に於けるｅ―ｅ線概略断面図、(b)は図１(c)に於けるｆ―ｆ線概略断面図。
【図６】実施例の床下換気口を建物基礎の換気用開口部に取り付けた状態を示す概略縦断面図。
【図７】図２に於けるブレードの起伏作動機構部分を示す部位の拡大図。
【図８】図３に於けるブレードの起伏作動機構部分を示す部位の拡大図。
【符号の説明】
【００４６】
１    床下換気口
２    四辺形フレ−ム
２ａ  上部取付部
２ｂ  下部取付部
２ｃ  カバー
２ｄ  操作用スリット
２ｅ  下縁
２ｆ  金網
３    開口部
４    ブレード
５    回転軸
６    取付片
７    回動部材
７ａ  ボルト・ナット
８    直立連結部材
８ａ  結合部材
８ｂ  操作レバー
９    多孔板
９ａ  取付用開口
９ｂ  取付用ネジ孔
Ｂ    基礎
Ｈ    土台
Ｓ    モルタル
ｐ、ｑ  矢印
【図１】
0003110954.tif 000003
【図２】
0003110954.tif 000004
【図３】
0003110954.tif 000005
【図４】
0003110954.tif 000006
【図５】
0003110954.tif 000007
【図６】
0003110954.tif 000008
【図７】
0003110954.tif 000009
【図８】
0003110954.tif 000010